(57)【要約】【課題】【解決手段】蓋部材５０が貯蔵本体１１にて開口部４１、４２に形成された係止溝５２内に嵌まる係止部材５１を有する縁部３１を備える落下及び摺動蓋部材システムである。蓋部材は僅かな程度だけ片寄りされており、蓋部材を所要位置に挿入したとき、係止部材が開口内に摺動するのを許容し、このことは開口部の係止溝にアクセスすることを可能にする。次に、蓋部材を横方向に移動させ、係止部材を形成された係止溝内に摺動させる。
2004532946.tif 000002
【特許請求の範囲】
【請求項１】
絶縁材料で充填された二重壁付きの耐火性金庫にて使用される蓋部材及び開口部において、
側部を有する開口を備える少なくとも１つの開口部であって、側壁が外面を有し、該外面の少なくとも１つが内部に直線状部分を有する係止溝を備え、前記直線状部分が、該直線状部分に対して平行な係合軸線を画成する前記少なくとも１つの開口部と、
該少なくとも１つの開口部の上方に配置し得るようにされた蓋部材であって、少なくとも１つの剛性な部材を有し、該少なくとも１つの剛性な部材を前記係合軸線に対し平行に動かす場合を除いて、該少なくとも１つの剛性な部材を前記係止溝から除去し得ないように、前記係止溝内に配置し得るようにされた前記少なくとも１つの剛性な部材を有する前記蓋部材とを備える、蓋部材及び開口部。
【請求項２】
請求項１に記載の、絶縁材料で充填された二重壁付きの耐火性金庫にて使用される蓋部材及び開口部において、側壁が、前記開口の両側部に２つの側壁を有し、該２つの側壁の各々が、少なくとも１つの係止溝を有し、前記係止溝の各々が、前記係合軸線に対して平行な直線状部分を有する、蓋部材及び開口部。
【請求項３】
請求項２に記載の、絶縁材料で充填された二重壁付きの耐火性金庫にて使用される蓋部材及び開口部において、前記蓋部材が複数の側部を有し、該側部の１つが、前記蓋部材が前記少なくとも１つの開口部の上方に配置されたとき、前記開口の両側部にて２つの側壁の各々に隣接しており、側壁の各々が少なくとも１つの剛性な部材を有し、該少なくとも１つの剛性な部材の各々が、蓋部材が前記少なくとも１つの開口部の上方に配置されたとき、隣接する側壁の係止溝内に配置し得るようにされた、蓋部材及び開口部。
【請求項４】
請求項３に記載の、絶縁材料で充填された二重壁付きの耐火性金庫にて使用される蓋部材及び開口部において、前記剛性な部材を前記係合軸線に対し平行に動かす場合を除いて、前記剛性な部材が配置された係止溝から該剛性な部材を除去することができないようにした、蓋部材及び開口部。
【請求項５】
請求項４に記載の、絶縁材料で充填された二重壁付きの耐火性金庫にて使用される蓋部材及び開口部において、前記少なくとも１つの開口部内に少なくとも１つの挿入溝を更に備え、該少なくとも１つの挿入溝が前記少なくとも１つの開口部の少なくとも１つの係止溝と交差するようにした、蓋部材及び開口部。
【請求項６】
請求項５に記載の、絶縁材料で充填された二重壁付きの耐火性金庫にて使用される蓋部材及び開口部において、前記少なくとも１つの挿入溝が、直線状部分を有し、該直線状部分が前記係合軸線に対し垂直な挿入軸線を画成する、蓋部材及び開口部。
【請求項７】
請求項１に記載の、絶縁材料で充填された二重壁付きの耐火性金庫にて使用される蓋部材及び開口部において、蓋部材を絶縁性材料内に定着させ得るように前記蓋部材から突き出す少なくとも１つの杭状体を更に備える、蓋部材及び開口部。
【請求項８】
請求項７に記載の、絶縁材料で充填された二重壁付きの耐火性金庫にて使用される蓋部材及び開口部において、前記絶縁材料が硬化する前に、前記少なくとも１つの杭状体が該絶縁材料内に挿入され、その後、前記少なくとも１つの剛性な部材が移動するのを防止するようにした、蓋部材及び開口部。
【請求項９】
絶縁材料で充填された二重壁付きの耐火性金庫にて使用される蓋部材及び開口部において、
側壁によって取り巻かれた開口を有する少なくとも１つの開口部であって、側壁が外面を有し、該外面の少なくとも１つが直線状の係止溝を有し、該直線状の係止溝が該直線状の係止溝に対し平行な係合軸線を画成する前記少なくとも１つの開口部と、
前記少なくとも１つの開口部の上方に配置し得るようにされた蓋部材であって、蓋部材の内側空間を取り囲む縁部によって取り巻かれた板を有し、該縁部が前記内部空間に隣接する内面を有し、該内面における少なくとも１つの剛性な部材が前記内部空間内に突き出し、前記少なくとも１つの剛性な部材が、前記少なくとも１つの直線状係止溝内に配置し得るようにされ、前記少なくとも１つの剛性な部材を前記係合軸線に対し平行に動かす場合を除いて、前記少なくとも１つの剛性な部材を前記少なくとも１つの直線状の係止溝から除去することができないようにした前記蓋部材とを備える、蓋部材及び開口部。
【請求項１０】
請求項９に記載の、絶縁材料で充填された二重壁付きの耐火性金庫にて使用される蓋部材及び開口部において、側壁が、前記開口の両側部に２つの側壁を有し、前記開口の両側部における該２つの側壁の各々が少なくとも１つの直線状の係止溝を有し、前記直線状の係止溝の各々が前記係合軸線に対し平行である、蓋部材及び開口部。
【請求項１１】
請求項１０に記載の、絶縁材料で充填された二重壁付きの耐火性金庫にて使用される蓋部材及び開口部において、前記縁部の内面が２つの内面部分を有し、該２つの内面部分の各々が、前記少なくとも１つの開口部の両側部にあり且つ前記蓋部材が前記少なくとも１つの開口部の上方に配置されたとき、前記２つの側壁の一方に隣接しており、前記２つの内面部分の各々が前記内部空間内に突き出す少なくとも１つの剛性な部材を有し、蓋部材が前記少なくとも１つの開口部の上方に配置されたとき、前記少なくとも１つの剛性な部材の各々が、そのそれぞれの内面部分に隣接して側壁の直線状係止溝内に配置し得るようにされた、蓋部材及び開口部。
【請求項１２】
請求項１１に記載の、絶縁材料で充填された二重壁付きの耐火性金庫にて使用される蓋部材及び開口部において、前記剛性な部材を前記係合軸線に対し平行に動かす場合を除いて、該剛性な部材が配置された直線状の係止溝から該剛性な部材を除去することができないようにした、蓋部材及び開口部。
【請求項１３】
請求項１２に記載の、絶縁材料で充填された二重壁付きの耐火性金庫にて使用される蓋部材及び開口部において、前記少なくとも１つの開口部に形成された少なくとも１つの挿入溝を更に備え、該少なくとも１つの挿入溝が、前記少なくとも１つの開口部の少なくとも１つの直線状係止溝と交差するようにした、蓋部材及び開口部。
【請求項１４】
請求項１３に記載の、絶縁材料で充填された二重壁付きの耐火性金庫にて使用される蓋部材及び開口部において、前記少なくとも１つの挿入溝が直線状部分を有し、該直線状部分が、前記係合軸線に対し垂直な挿入軸線を画成する、蓋部材及び開口部。
【請求項１５】
請求項１に記載の、絶縁材料で充填された二重壁付きの耐火性金庫にて使用される蓋部材及び開口部において、蓋部材を絶縁材料内に定着させ得るように前記蓋部材から突き出す少なくとも１つの定着要素を更に備える、蓋部材及び開口部。
【請求項１６】
請求項１５に記載の、絶縁材料で充填された二重壁付きの耐火性金庫にて使用される蓋部材及び開口部において、前記絶縁材料が硬化する前に前記少なくとも１つの定着要素が該絶縁材料内に挿入され、その後、前記蓋部材が移動することを防止するようにした、蓋部材及び開口部。
【請求項１７】
絶縁材料で充填され且つ外壁及び内壁を有する二重壁付きの耐火性金庫にて使用される蓋部材において、
外壁から突き出す側壁であって、該側壁の少なくとも１つが少なくとも１つの張り出し部を有する前記側壁により取り巻かれ、金庫の外壁に形成された少なくとも１つの開口と、
該少なくとも１つの開口及び側壁の上方に係合状態に配置可能な蓋部材であって、少なくとも１つの突起を有し、前記少なくとも１つの突起を前記少なくとも１つの張り出し部分の下方にて横方向に摺動させることにより、前記少なくとも１つの開口及び側壁と係合する前記蓋部材とを備える、蓋部材。
【請求項１８】
請求項１７に記載の、絶縁材料で充填され且つ外壁及び内壁を有する二重壁付きの耐火性金庫にて使用される蓋部材において、側壁が、前記少なくとも１つの開口の両側部に２つの側壁を含み、前記少なくとも１つの開口の両側部の前記２つの側壁の各々が、少なくとも１つの張り出し部分を有する、蓋部材。
【請求項１９】
請求項１８に記載の、絶縁材料で充填され且つ外壁及び内壁を有する二重壁付きの耐火性金庫にて使用される蓋部材において、少なくとも２つの突起を有し、前記蓋部材が前記少なくとも１つの開口の上方に係合可能に配置されたとき、該少なくとも２つの突起の各々が、前記２つの側壁の一方に隣接するようにした、蓋部材。
【請求項２０】
請求項１７に記載の、絶縁材料で充填され且つ外壁及び内壁を有する二重壁付きの耐火性金庫にて使用される蓋部材において、前記少なくとも１つの突起を前記張り出し部分の下方にて横方向に滑り出させる場合を除いて、前記少なくとも１つの突起が配置された張り出し部分の下方から該少なくとも１つの突起を除去することができないようにした、蓋部材。
【請求項２１】
請求項１７に記載の、絶縁材料で充填され且つ外壁及び内壁を有する二重壁付きの耐火性金庫にて使用される蓋部材において、前記側壁に形成された少なくとも１つの溝を更に備え、該少なくとも１つの溝が、前記少なくとも１つの張り出し部分と交差するようにした、蓋部材。
【請求項２２】
請求項１７に記載の、絶縁材料で充填され且つ外壁及び内壁を有する二重壁付きの耐火性金庫にて使用される蓋部材において、蓋部材を絶縁材料に定着させる少なくとも１つの定着要素を更に備える、蓋部材。
【請求項２３】
請求項２２に記載の、絶縁材料で充填された二重壁付きの耐火性金庫にて使用される蓋部材において、前記絶縁材料が硬化する前に前記少なくとも１つの定着要素が該絶縁材料内に挿入され、その後、前記蓋部材が移動するのを防止するようにした、蓋部材。
【発明の詳細な説明】
【技術分野】
【０００１】
本発明は、全体として、中身を火災による損傷から保護するための絶縁貯蔵容器の分野に関する。より具体的には、本発明は、絶縁材料で充填された二重壁付き耐火性金庫内の開口部を覆うために使用される蓋部材（ｅｓｃｕｔｃｈｅｏｎ）のデザイン及び構造に関する。
【発明の背景】
【０００２】
耐火性金庫とも称される、耐火性金庫は、全体として、絶縁材料で充填された空間を封止する内側殻体及び外側殻体を有する構造とされている。内側殻体は、金庫の蓋部／扉又は本体の各々の内面を形成し、外側殻体は、金庫の蓋部／扉又は本体の各々の外面を形成する。内側殻体及び外側殻体は、互いに、絶縁材料を殻体内の所要位置にて形作る堰板を形成する。絶縁材料は、全体として、金型内で凝固するが、その凝固した材料の塊内に多量の水を保持するコンクリート混合体で出来ている。
【０００３】
樹脂材料の二重壁付き殻体の各々には、殻体を絶縁材料にて充填するのを助けるために使用される１対の開口部が設けられている。二重壁付き殻体（２つの内、大きい方の殻体）の各々における開口部の１つが絶縁材料を殻体内に案内する。外側殻体は、殻体が充填されている間、空気が殻体から逃げるのを許容する。絶縁材料と樹脂殻体との間の空隙は、殻体を過剰に充填し、絶縁材料が開口部の各々内にてかなりの高さまで上昇するようにすることにより防止される。
【０００４】
殻体が充填された後、直ちに、蓋部材を開口部の上方に取り付けることができる。蓋部材は、「キノコ形」又はその他の形状の端部又は機械的取り付け部（急速ナット、回り止め座金、及び押しナットのような）を有する杭状体を備えるものとして製造され、これらの取り付け具は、開口部を通じて挿入し且つ、絶縁材料が所要位置にて硬化する前に、絶縁材料内に植え込む。杭状体は、絶縁材料を通って途中までしか伸びず、また、内側殻体に侵入しない。蓋部材には、また、蓋部材が取り付けられる金庫の蓋部及び（又は）扉或いは本体の面（又は、面の上昇した部分）に対し全体として垂直であり且つ該面に強固に当接することを目的とする取り巻き縁部が形成されている。
【０００５】
蓋部材の縁部は、開口部を取り巻いて、絶縁材料から開口部を通って水が蒸発するのを防止するより完全な蒸気バリアを提供する。このことは気化冷却を少なくし且つ発熱作用熱を封込めることにより、絶縁材料がより迅速に硬化することを許容する。更に、開口部の両側部は、従来、蓋部材の縁部の最外端縁に沿って合わさる「Ｖ」字形の止め部と「スナップ嵌め」し又は同様の締まり係合し得るような設計とされていた。しかし、このことは、絶縁材料中の所要位置に取り付けられた後、その蓋部材を構成するプラスチックがかなり収縮することがしばしばであるため、実際には、満足し得ないことが判明している。蓋部材は上述した杭状体により絶縁材料内に定着されているため、蓋部材を構成するプラスチックが収縮することは、蓋部材の縁部の端縁及びそのそれぞれの開口部に沿って「Ｖ」字形の止め部間のスナップ嵌めを解除する可能性がある。このことは、蓋部材の縁部と該蓋部材が取り付けられる金庫の扉／蓋部又は本体の面との間に望ましくなく且つ見栄えの良くない空隙を形成することになる。一方、このことは、製品のスクラップ化を招き、これに伴って、費用がかかり、時間、材料を無駄にし且つ収入的に損が生ずることになる。
【発明の概要】
【０００６】
本発明は、蓋部材を形成するプラスチック材料の収縮に起因して蓋部材の縁部と金庫本体の他の部分との間に空隙が形成されるのを防止することにより、開口部及び蓋部材のデザイン及び構造を改良するものである。これを実現するため、プラスチックが収縮するときでさえも分離し得ない相互係止具を蓋部材と開口部との間に形成する。一度び、蓋部材が絶縁材料として使用されるコンクリート内に定着したならば、蓋部材の縁部の端縁と金庫の扉又は蓋部の面との間に空隙が形成されるのを許容しない恒久的な分離不能な相互係止具によってその縁部が所要位置に保持される。この相互係止具は、開口部に形成された張出し部（「係止溝」）の下方に嵌まる突起（「係止部材」）を蓋部材の縁部の端縁に形成することにより実現される。係止溝及び係止部材の形状のため、これらの部分は、互いにスナップ止めすることはできない。その代わり、蓋部材は、僅かな程度、片寄りされており、係止部材が開口内に下方に摺動することを許容し、この開口は、蓋部材が（その杭状体と共に）所要位置に挿入されるとき、開口部の係止溝内にアクセスすることを可能にする。次に、その杭状体及び突起を有する蓋部材を横方向に動かして（これは、コンクリートの絶縁材料が未だ柔らかいときにのみ可能である）、係止部材を形成された係止溝内に摺動させる。一度び、蓋部材の杭状体がコンクリート絶縁材料内に配置されたならば、かかる横方向への動きは不可能となる。蓋部材の縁部の端縁は、開口部との確実な相互係止した握り状態を維持し、端縁を蓋部材が取り付けられる金庫の蓋部／扉又は金庫の本体
の面と当接する、その望ましい位置に保持する。
【０００７】
頂部蓋付きの耐火性金庫に対する従来技術のデザインが図１に図示されている。その基部（全体として矢印１で図示）は、従来技術の蓋部材３を配置し得るようにされた従来技術の開口部２を特徴としている。基部１は、内側殻体１０及び外側殻体１１により形成された吹込み成形樹脂本体である。内側殻体１０は、ケースの中身を貯蔵するための内部空間を取り囲んでおり、外側殻体１１は、従来技術の開口部２を含んで基部１の外側を形成する。内側殻体１０及び外側殻体１１は、また、絶縁材料（全体としてコンクリート）で充填すべき空間（全体として、矢印１２で図示）を封止するそれぞれの内壁及び外壁も形成する。
【０００８】
図面を参照することにより理解し得るように、このデザインの蓋部材の縁部３１は、全体として矢印１３で示した面に強固に当接することを目的とする。これらの縁部は、対向した蓋部材の縁部３１の内端縁における「Ｖ」字形の止め部３２によってこの位置を保ち得るようにされることが理想的である。従来技術の開口部２及び蓋部材の縁部３１の側部を形成する材料は、単に半剛性であり、これらが止め部３２に対し十分に変形し、アンダーカット部２１内に摺動し／スナップ嵌めすることを許容する。都合の悪いことに、上述したように、利用される材料が多少可撓性の性質であることは、また、従来技術の蓋部材３を構成する材料が収縮するとき、止め部３２がアンダーカット部２１から後方に滑り出るのことも許容する。このことは、蓋部材の縁部３１と面１３との間に空隙を形成することになる。
【０００９】
図２乃至図１０に示した当該出願人の新規なデザインは、図１に示した従来技術のデザインと共通する多くの特徴を有する。このデザインは、また、２つの殻体の間の空間１２に絶縁体を充填するため外側殻体１１から突き出す開口部も有している。大形の開口部４１は、液体状態の絶縁材料を内側殻体１０と外側殻体１１との間の空間１２内に案内するために使用される。小形の開口部４２は、殻体が充填されている間、空気が空間１２から逃げるのを許容する。充填後、大形の開口部４１及び小形の開口部４２の双方の上方に嵌まり得る寸法とされた蓋部材（全体として矢印５０で図示）は、開口部の上方に配置され且つ開口部を覆う。過程中、空間１２を充填する絶縁材料内に杭状体３０を植え込み、その後、その材料は、杭状体３０の周りで硬化して蓋部材５０を所要位置に係止する。杭状体３０は、典型的に、その２つが大形の開口部４１内に嵌まり、また、その他の２つが小形の開口部４２内に嵌まるように配置されている。杭状体３０の各々には、杭状体３０を空間１２内の硬化した材料内に定着させ得る設計とされた拡張端すなわち「キノコ状」端部が設けられている。本発明の主題である耐火性金庫の基部１及び蓋部（図示せず）の双方を製造するとき、同様の部品（及び基本的過程が同一）が使用される。
【００１０】
しかし、本発明において、蓋部材の縁部３１及び面１３が当接する関係にて堅固に保持される仕方は極めて相違する。図２乃至図１０において、蓋部材５０の両側部における蓋部材の縁部３１には、剛性な係止部材５１が設けられている。これらの係止部材５１は、大形の開口部４１及び小形の開口部４２の両側部に配置された係止溝（矢印５２で図示）内に横方向に摺動する設計とされている。係止部材５１及び係止溝５２の剛性な性質は、一度びこれらが相互に係止されたならば、これらが「非スナップ嵌め状態」となることを許容しない。このように、蓋部材５０を、最早、所要位置に「スナップ嵌め」する止め部によって所要位置に直接、押し込むことはできない。これと逆に、一度び係止部材５１及び係止溝５２が相互に係止されたならば、蓋部材を、最早、大形の開口部４１及び小形の開口部４２から直接、引き離すことはできない。それに代えて、係止部材５１及び係止溝５２を「係止し」又は「非係止状態にする」ためには、蓋部材５０を横方向に動かさなければならない。
【００１１】
上述した改変は、蓋部材５０、大形の開口部４１及び小形の開口部４２の設計のその他の変更により容易となる。上述したように、蓋部材５０を所要位置に直接、挿入することはできない。蓋部材は、僅かに横方向に片寄りさせ（図７に示すように）、面１３に当接する位置まで下方に押し（図８及び図９に順次に示すように）、次に、横方向に動かして、係止部材５１を係止溝５２内に挿入しなければならない（図１０に示すように）。図示した実施の形態において約６．３５ｍｍ（．２５インチ）であるこの片寄りのためには、係止溝５２に対し平行な軸線に沿った蓋部材５０の長さが大形の開口部４１及び小形の開口部４２の外端縁間の距離よりも少なくとも、６．３５ｍｍ（．２５インチ）だけ長いことを必要とする。最後に、蓋部材５０の対向する縁部３１に沿って複数の係止部材５１を有することが好ましい。このことは、大形の開口部４１及び小形の開口部４２に合わさる挿入溝５３を形成することを必要とする。挿入溝５３は、係止溝５２と交差して、係止部材５１を横方向に動かし且つ係止部材を係止溝５２内に挿入する前に、係止部材５１を係止溝５２対し整合させることを許容する。
部品リスト
１        頂部蓋付き耐火性金庫の基部
２        従来技術の開口部
３        従来技術の蓋部材
１０        内側殻体
１１        外側殻体
１２        絶縁材料で充填された空間
１３        面
２１        アンダーカット部
３０        杭状体
３１        蓋部材の縁部
３２        「Ｖ」字形止め部
４１        大形の開口部
４２        小形の開口部
５０        蓋部材
５１        剛性な係止部材
５２        係止溝
５３        合わさる挿入溝／係止部材
【図面の簡単な説明】
【００１２】
【図１】両側縁部の端縁における「Ｖ」字形止め具が開口部の所要位置にスナップ嵌めされた、当該出願人の従来技術の蓋部材の概略断面側面図である。
【図２】本発明の教示に従って製造された蓋部材の内面及び作用部を僅かに上方から見た第一の斜視図である。
【図３】本発明の教示に従って製造された蓋部材の内面及び作用部の僅かに下方から見た第二の斜視図である。
【図４】図２の下側隅部から見た分解斜視図である。
【図５】本発明の教示に従って製造された開口部を有する金庫本体の正面図である。
【図６】図５に図示した金庫本体正面及び開口部の斜視図である。
【図７】図６の金庫本体及び開口部に合うように配置された、本発明の教示に従って製造された蓋部材の上方から見た図である。蓋部材は部分断面図で示してある。
【図８】図６の金庫本体及び開口部に合わせる過程における、本発明の教示に従って製造された蓋部材の上方から見た図である。蓋部材は部分断面図で示してある。
【図９】その側部縁部が金庫本体に対して面一となり、その係止部材が開口部に形成された係止溝内に挿入し得るよう整合された、中間位置にある本発明の教示に従って製造された蓋部材の上方から見た図である。蓋部材及び開口部は部分断面図で示してある。
【図１０】係止部材が開口部に形成された係止溝内に挿入されたその最終位置にある、本発明の教示に従って製造された蓋部材の上方から見た図である。蓋部材及び開口部は部分断面図で示してある。
【図１】
2004532946.tif 000003
【国際公開パンフレット】
2004532946.tif 000004
2004532946.tif 000005
2004532946.tif 000006
2004532946.tif 000007
2004532946.tif 000008
2004532946.tif 000009
2004532946.tif 000010
2004532946.tif 000011
2004532946.tif 000012
2004532946.tif 000013
2004532946.tif 000014
2004532946.tif 000015
2004532946.tif 000016
2004532946.tif 000017
2004532946.tif 000018
2004532946.tif 000019
2004532946.tif 000020
2004532946.tif 000021
2004532946.tif 000022
2004532946.tif 000023
2004532946.tif 000024
2004532946.tif 000025
2004532946.tif 000026
2004532946.tif 000027
【国際調査報告】
2004532946.tif 000028